(57)【特許請求の範囲】
【請求項１】
内部に酸素を吸着する成分を含み内圧が下降する可能性のある製品を収容する容器本体と、該容器本体の開口部に取付けられ前記製品を容器本体内に密閉する蓋体と、前記容器本体の開口部、蓋体のうち少なくともいずれか一方に設けられ前記容器本体内と外部との間で気体を流通する気体通路と、常時は該気体通路を遮断し前記容器本体の内圧が下降したときには気体通路を連通して該容器本体内に外部から気体が流入するのを許す吸込弁とによって構成し、
該吸込弁は前記気体通路の内側開口を覆うように前記蓋体に剥離可能に貼付けられた粘着シートからなるシート弁として形成し、
該シート弁には、前記蓋体に貼付けられる面に内縁が四角形状をなすように粘着剤を塗布する構成としてなる内圧変動防止容器。
【発明の詳細な説明】
【０００１】
【発明の属する技術分野】
本発明は、例えば粉体、顆粒、タブレット等の製品を収容する内圧変動防止容器に関し、特に、複数回分の製品をまとめて収容するようになった内圧変動防止容器に関する。
【０００２】
【従来の技術】
一般に、粉体状、顆粒状、タブレット状をなす製品を収容する容器は、内部にこれら製品を収容する容器本体と、該容器本体の開口部に着脱可能に取付けられ、前記製品を容器本体内に密閉する蓋体とによって構成され、例えば蓋体は容器本体の開口部に螺着されている。
【０００３】
また、粉体状、顆粒状、タブレット状をなす製品としては、入浴時に浴槽に入れる入浴剤等がある。この入浴剤には、浴槽に入れたときに浴槽内のお湯（水）に反応して炭酸ガスを発生する成分を含んだものがあり、この炭酸ガスは血行等を良好にする働きがある。
【０００４】
そして、炭酸ガスを発生する入浴剤等は、未使用の入浴剤が水分に触れないように、１回に使用する分量ずつアルミニウムフィルム等によって包装されている。
【０００５】
【発明が解決しようとする課題】
ところで、上述した従来技術によるものでは、未使用の入浴剤が炭酸ガスを発生しないように、入浴剤を１回分毎に個別包装しているから、製造コストが嵩んでしまうという問題がある。
【０００６】
そこで、大型化した容器に複数回分の入浴剤を収容し、使用するときに蓋体を外して適量を浴槽に入れる構成とすることが考えられる。しかし、この場合には、容器内に入浴剤が余っている状態で内部に水などが浸入すると、容器内で炭酸ガスが発生して内圧が上昇してしまい、容器本体が変形したり、損傷する虞がある。
【０００７】
また、空気中の酸素を吸着する成分を含んだ薬剤等を容器内に収容した場合には、容器本体の内圧が下降してしまうから、同様に容器本体が変形したり、損傷する虞がある。
【０００８】
本発明は上述した従来技術の問題に鑑みなされたもので、本発明の目的は、容器本体内の圧力が上昇または下降しようとした場合でも、容器本体が変形したり、損傷するのを防止できるようにした内圧変動防止容器を提供することにある。
【０００９】
【課題を解決するための手段】
上述した課題を解決するために、請求項１の発明による内圧変動防止容器は、内部に酸素を吸着する成分を含み内圧が下降する可能性のある製品を収容する容器本体と、該容器本体の開口部に取付けられ前記製品を容器本体内に密閉する蓋体と、前記容器本体の開口部、蓋体のうち少なくともいずれか一方に設けられ前記容器本体内と外部との間で気体を流通する気体通路と、常時は該気体通路を遮断し前記容器本体の内圧が下降したときには気体通路を連通して該容器本体内に外部から気体が流入するのを許す吸込弁とによって構成し、該吸込弁は前記気体通路の内側開口を覆うように前記蓋体に剥離可能に貼付けられた粘着シートからなるシート弁として形成し、該シート弁には、前記蓋体に貼付けられる面に内縁が四角形状をなすように粘着剤を塗布する構成としたことにある。
【００１０】
このように構成したことにより、吸込弁は、気体通路を閉弁することにより容器本体内に塵埃、水分が浸入したり、内部の製品が流出するのを防止することができる。しかも、例えば容器本体内に収容している製品が空気中の酸素を吸着し、容器本体内の圧力が下降するときに、吸込弁は、開弁して気体通路を連通することにより、容器本体内に外部から気体を流入させて内圧の下降を防止することができる。
【００１１】
特に、粘着シートからなる吸込弁は気体通路の内側開口を常時は覆っているから、塵埃、水分が気体通路を通って容器本体内に浸入するのを防止することができる。また、容器本体内の製品が酸素を吸着した場合には、粘着シートからなる吸込弁は、気体通路を介して作用する大気圧によって一部が蓋体から剥離して気体通路を開放することにより、容器本体内に外部から気体を流入させて内圧が下降するのを防止することができる。
【００２８】
【発明の実施の形態】
以下、本発明の実施の形態による内圧変動防止容器を添付図面に従って詳細に説明する。
【００２９】
まず、図１ないし図５は本発明の前提となる第１の参考例を示している。１は内圧変動防止容器の本体部分をなす容器本体で、該容器本体１は、例えば樹脂材料によって形成されている。ここで、容器本体１は、有底筒状の収容部１Ａと、該収容部１Ａの上側を縮径した肩部１Ｂと、該肩部１Ｂから上向きに突出した開口部１Ｃとによって大略構成されている。また、開口部１Ｃの外周側には、図２に示すように雄ねじ部１Ｄが形成されている。そして、容器本体１は、その収容部１Ａ内に後述の入浴剤２を複数回分収容している。
【００３０】
２は容器本体１内に収容された製品としての入浴剤で、該入浴剤２は、粉体状、顆粒状、タブレット状等の様々な形態をなしているが、第１の参考例では、入浴剤２は、顆粒状をなし、水分に反応して炭酸ガスを発生する成分（例えば、炭酸ナトリウム、炭酸水素ナトリウム等の炭酸塩とコハク酸、フマル酸、リンゴ酸、クエン酸、マレイン酸、酒石酸、乳酸等の有機酸）を含んでいるものとして説明する。また、入浴剤２は、例えば数十回分の量が容器本体１内に収容されている。
【００３１】
３は容器本体１の開口部１Ｃに着脱可能に取付けられた蓋体で、該蓋体３は、入浴剤２を容器本体１内に密閉するもので、例えば樹脂材料によって形成されている。ここで、蓋体３は、図３、図４に示す如く、容器本体１の開口部１Ｃよりも一回り大きな筒部３Ａと、該筒部３Ａの上側を閉塞する円板状の蓋部３Ｂとによって大略構成されている。また、筒部３Ａの内周側には、容器本体１の雄ねじ部１Ｄに螺合する雌ねじ部３Ｃが形成されている。さらに、蓋部３Ｂの下面には、蓋体３を容器本体１の開口部１Ｃに取付けたときに、開口部１Ｃの内側に挿嵌される環状のインナリング３Ｄと、該インナリング３Ｄよりも外側に位置して開口部１Ｃの上端に当接する断面三角状のコンタクトリング３Ｅとがそれぞれ下向きに突設されている。そして、蓋体３は、その雌ねじ部３Ｃを容器本体１の雄ねじ部１Ｄに螺合させることにより、開口部１Ｃに取付けられ、これにより容器本体１内に入浴剤２を密閉している。
【００３２】
４，４は蓋体３のインナリング３Ｄに形成された１個または複数個、例えば２個の切欠溝で、該各切欠溝４は、図５に示すように、インナリング３Ｄの外周面を上，下方向に切欠いて形成されている。また、５，５は各切欠溝４に対応するように蓋体３のコンタクトリング３Ｅに形成された１個または複数個、例えば２個の切欠部で、該各切欠部５は、コンタクトリング３Ｅを径方向に切欠いて形成されている。ここで、切欠溝４、切欠部５は、見え易いように大きく図示したが、僅かずつでも気体（炭酸ガス、空気等）が通過できる寸法であればよく、実際には非常に小さな寸法をもって形成されている。
【００３３】
そして、切欠溝４、切欠部５は、容器本体１の雄ねじ部１Ｄと蓋体３の雌ねじ部３Ｃとにより開口部１Ｃと筒部３Ａとの間に形成される螺旋状通路６と一緒に気体通路７を構成している。この気体通路７は、容器本体１内と外部とを連通するもので、容器本体１の内圧が上昇したときには該容器本体１内の気体を外部に逃がし、容器本体１の内圧が下降したときには外部から該容器本体１内に気体を吸込むものである。
【００３４】
第１の参考例による内圧変動防止容器は上述の如き構成を有するもので、次に、収容している入浴剤２の取扱い動作について説明する。
【００３５】
まず、容器本体１内に収容された入浴剤２を使用するときには、蓋体３を回転させて容器本体１の開口部１Ｃから取外し、該容器本体１を傾けることにより適量の入浴剤２を浴槽（図示せず）に投入する。そして、浴槽に入浴剤２を投入したら、容器本体１の開口部１Ｃに蓋体３を螺着し、該開口部１Ｃを閉塞する。
【００３６】
ここで、入浴剤２は、血行を良好にするためにお湯（水分）に反応して炭酸ガスを発生する成分を含んでいるから、容器本体１内に水が浸入した場合には、該容器本体１内に残存する入浴剤２が水分に反応し、炭酸ガスを発生してしまう。
【００３７】
しかし、第１の参考例によれば、容器本体１内で発生した炭酸ガスは、切欠溝４、切欠部５、螺旋状通路６からなる気体通路７を通って外部に常時流出するから、炭酸ガスによって容器本体１内の圧力が上昇するのを防止することができる。
【００３８】
なお、入浴剤２に代えて容器本体１内に酸素を吸着する成分を含んだ薬剤等（脱酸素剤、自動酸化物質等）を収容した場合には、この薬剤は、容器本体１内の酸素を吸着して内圧を下げようとする。しかし、気体通路７は常時外気を吸込むことができるから、容器本体１内の圧力が下降するのを防止することができる。
【００３９】
以上のように、第１の参考例によれば、蓋体３のインナリング３Ｄに形成された切欠溝４と、コンタクトリング３Ｅに形成された切欠部５と、ねじ部１Ｄ，３Ｃ間に形成された螺旋状通路６とにより、容器本体１の開口部１Ｃと蓋体３との間で該容器本体１と外部とを連通する気体通路７を形成している。従って、容器本体１内に水分が浸入し、入浴剤２が炭酸ガスを発生した場合でも、この炭酸ガスは気体通路７を通して外部に常時流出することができるから、容器本体１の内圧が上昇するのを防止することができる。また、酸素を吸着する薬剤等によって容器本体１の内圧が下降するのを防止することができる。
【００４０】
これにより、内圧の上昇、下降によって容器本体１が変形、損傷するのを防止することができるから、入浴剤２等の製品を容器本体１内に複数回分収容することができ、また、容器本体１、蓋体３を安価な樹脂材料から少ない部品点数で形成することができ、製造コストを低減することができる。
【００４１】
また、切欠溝４、切欠部５はそれぞれ２個ずつ設けているから、一方が詰りを生じた場合でも、容器本体１と外部との間で空気、ガスを出し入れすることができ、信頼性を向上することができる。
【００４２】
次に、図６および図７は本発明の前提となる第２の参考例を示している。第２の参考例の特徴は、容器本体の開口部に気体通路を構成する切欠部を設けたことにある。なお、第２の参考例では、前述した第１の参考例と同一の構成要素には同一の符号を付し、その説明を省略するものとする。
【００４３】
１１は第２の参考例による容器本体で、該容器本体１１は、第１の参考例による容器本体１とほぼ同様に、収容部１１Ａ、肩部１１Ｂ、開口部１１Ｃ、雄ねじ部１１Ｄによって形成されているが、開口部１１Ｃの上端部に後述の切欠部１３が形成されている点で第１の参考例による容器本体１と相違している。
【００４４】
１２は容器本体１１の開口部１１Ｃに着脱可能に取付けられた第２の参考例による蓋体で、該蓋体１２は、第１の参考例による蓋体３とほぼ同様に、筒部１２Ａ、蓋部１２Ｂ、雌ねじ部１２Ｃ、インナリング１２Ｄ、コンタクトリング１２Ｅによって形成されている。しかし、第２の参考例による蓋体１２は、そのインナリング１２Ｄ、コンタクトリング１２Ｅから切欠溝、切欠部が廃止されている点で第１の参考例による蓋体３と相違している。
【００４５】
１３，１３は容器本体１１の開口部１１Ｃに形成された１個または複数個、例えば２個の切欠部で、該各切欠部１３は、開口部１１の上端部を径方向に切欠いて形成されている。ここで、切欠部１３の深さ寸法（上，下方向寸法）は、蓋体１２を容器本体１１の開口部１１Ｃに取付けたときに、インナリング１２Ｄとの間に気体が通ることができる僅かな隙間を形成する程度の寸法に設定されている。
【００４６】
そして、切欠部１３は、図７に示すように、容器本体１１の開口部１１Ｃと蓋体１２の筒部１２Ａとの間に形成される螺旋状通路１４と一緒に気体通路１５を構成している。この気体通路１５は、前述した第１の参考例による気体通路７と同様に、容器本体１１内と外部とを連通し、容器本体１１内と外部との間で気体を流通するものである。
【００４７】
かくして、このように構成された第２の参考例においても、前述した第１の参考例とほぼ同様の作用効果を得ることができる。しかし、第２の参考例によれば、容器本体１１の開口部１１Ｃに切欠部１３を設けるだけで気体通路１５を形成することができ、内圧変動防止容器を容易に製造することができる。
【００４８】
次に、図８ないし図１１は本発明の第３の参考例を示している。第３の参考例の特徴は、容器本体の開口部と蓋体との間にシール用のパッキンを設けたことにある。なお、第３の参考例では、前述した第１の参考例と同一の構成要素には同一の符号を付し、その説明を省略するものとする。
【００４９】
２１は容器本体１の開口部１Ｃに着脱可能に取付けられる第３の参考例による蓋体で、該蓋体２１は、例えば樹脂材料によって形成されている。ここで、蓋体２１は、図９、図１０に示す如く、筒部２１Ａと、該筒部２１Ａの上側を閉塞する蓋部２１Ｂとによって大略構成されている。また、筒部２１Ａの内周側には、容器本体１の雄ねじ部１Ｄに螺合する雌ねじ部２１Ｃが形成され、該雌ねじ部２１Ｃの上側には後述のパッキン２３を支持する環状突起２１Ｄが内向きに突設されている。一方、蓋部２１Ｂの下面には、放射状に延びる複数本の凸条２１Ｅ，２１Ｅ，…に区切られて複数個の扇状凹部２１Ｆ，２１Ｆ，…が形成されている。
【００５０】
また、２２は蓋体２１の筒部２１Ａ内面に設けられた１個または複数個、例えば１個の切欠溝で、該切欠溝２２は、後述の気体通路２５の一部を構成するもので、一つの扇状凹部２１Ｆの外周端に位置して上，下方向に延びるように形成されている。
【００５１】
２３は蓋体２１内に取付けられるシール用のパッキンで、該パッキン２３は、例えば弾性を有するゴム材料、樹脂材料を用いて円板状に形成されている。また、パッキン２３の中央には、各扇状凹部２１Ｆに連通する連通穴２３Ａが形成されている。ここで、パッキン２３は、その外周側を環状突起２１Ｄに係合させることによって蓋体２１内に取付けられ、これにより、蓋体２１を容器本体１の開口部１Ｃに取付けたときには、図１０に示すように、開口部１Ｃとの間をシールすることができる。
【００５２】
そして、パッキン２３の連通穴２３Ａ、蓋体２１の扇状凹部２１Ｆ、切欠溝２２は、図１１に示す如く、容器本体１の開口部１Ｃと蓋体２１の筒部２１Ａとの間に形成される螺旋状通路２４と一緒に気体通路２５を構成している。この気体通路２５は、第１の参考例による気体通路７と同様に、容器本体１内と外部とを連通し、容器本体１内と外部との間で気体を流通するものである。
【００５３】
かくして、このように構成された第３の参考例においても、前述した第１の参考例とほぼ同様の作用効果を得ることができる。しかし、第３の参考例によれば、パッキン２３を備えたものでも容器本体１内の圧力が上昇したり、下降したりするのを防止することができる。
【００５４】
次に、図１２ないし図１４は本発明の第４の参考例を示している。第４の参考例の特徴は、常時は気体通路を遮断し、容器本体内の圧力が上昇または下降したときに気体通路を連通する呼吸弁を設けたことにある。なお、第４の参考例では、前述した第１の参考例と同一の構成要素には同一の符号を付し、その説明を省略するものとする。
【００５５】
３１は容器本体１の開口部１Ｃに着脱可能に取付けられる第４の参考例による蓋体で、該蓋体３１は、例えば樹脂材料からなり、筒部３１Ａと蓋部３１Ｂとによって大略構成されている。また、筒部３１Ａの内周側には、図１３に示すように雌ねじ部３１Ｃと後述のパッキン３３を支持する環状突起３１Ｄが設けられている。一方、蓋部３１Ｂの下面には、放射状に延びる複数本の凸条３１Ｅ，３１Ｅ，…に区切られて複数個の扇状凹部３１Ｆ，３１Ｆ，…が形成されている。
【００５６】
また、３２は蓋体３１の筒部３１Ａ内面に設けられた１個または複数個、例えば１個の切欠溝で、該切欠溝３２は、後述の気体通路３５の一部を構成するもので、一つの扇状凹部３１Ｆの外周端に位置して上，下方向に延びるように形成されている。
【００５７】
３３は蓋体３１内に取付けられるシール用のパッキンで、該パッキン３３は、例えば弾性を有するゴム材料、樹脂材料を用いて円板状に形成されている。ここで、パッキン３３は、その外周側が環状突起３１Ｄに係合して蓋体３１内に取付けられ、蓋体３１を容器本体１に取付けたときには、その開口部１Ｃとの間をシールすることができる。また、パッキン３３の中央には後述のパッキン弁３６が設けられている。
【００５８】
そして、蓋体３１の扇状凹部３１Ｆ、切欠溝３２は、図１４に示すように、容器本体１と蓋体３１との間に形成される螺旋状通路３４と一緒に気体通路３５を構成している。この気体通路３５は、第１の参考例による気体通路７と同様に、容器本体１内と外部とを連通し、容器本体１内と外部との間で気体を流通するものである。
【００５９】
３６はパッキン３３の中央に設けられた呼吸弁としてのパッキン弁で、該パッキン弁３６は、弾性をもったパッキン３３の特性を利用し、該パッキン３３の中央に十字状の切れ目を入れることによって形成されている。
【００６０】
そして、パッキン弁３６は、常時は切れ目同士が当接して閉弁し、気体通路３５を遮断している。これにより、パッキン弁３６は、水分が容器本体１内に浸入したり、収容した入浴剤２が外部に流出したりするのを防止している。
【００６１】
一方、容器本体１内の圧力が変動したとき、例えば入浴剤２が炭酸ガスを発生して内圧が上昇したときには、パッキン弁３６は、図１３、図１４に示すように、容器本体１の内圧を受承して上側に変形することにより切れ目を離間（開弁）させ、気体通路３５と容器本体１内と連通して炭酸ガス、空気等の気体を外部に流出することができる。
【００６２】
また、容器本体１内に酸素を吸着する成分を含んだ薬剤を収容した場合には、容器本体１内の圧力が下降するが、パッキン弁３６は、気体通路３５を介して大気圧を受承することにより開弁し、気体通路３５と容器本体１内と連通させて外部の気体（外気）を流入させることができる。
【００６３】
かくして、このように構成された第４の参考例においても、前述した第１の参考例とほぼ同様の作用効果を得ることができる。しかし、第４の参考例によれば、常時はパッキン弁３６を閉弁し、水の浸入や入浴剤２の流出を防止でき、容器としての信頼性を向上することができる。また、パッキン弁３６は、パッキン３５に切れ目を入れるだけの簡単な構造であるから、安価に形成することができる。
【００６４】
次に、図１５ないし図１７は第５の参考例を示している。第５の参考例の特徴は、逃し弁は気体通路の外側開口を覆うように蓋体に剥離可能に貼付けられた粘着シートによって形成したことにある。なお、第５の参考例では、前述した第１の参考例と同一の構成要素には同一の符号を付し、その説明を省略するものとする。
【００６５】
４１は容器本体１の開口部１Ｃに着脱可能に取付けられた第５の参考例による蓋体で、該蓋体４１は、第１の参考例による蓋体３とほぼ同様に、筒部４１Ａ、蓋部４１Ｂ、雌ねじ部４１Ｃ、インナリング４１Ｄ、コンタクトリング４１Ｅによって形成されている。しかし、第５の参考例による蓋体４１は、蓋部４１Ｂの上面側の中央に凹陥部４１Ｆが設けられ、該凹陥部４１Ｆに後述の気体流通穴４２が形成されている点で、第１の参考例による蓋体３と相違している。
【００６６】
４２，４２，…は蓋体４１の凹陥部４１Ｆに設けられた気体通路をなす１個または複数個、例えば４個の気体流通穴で、該各気体流通穴４２は、容器本体１内と外部とを連通するものである。
【００６７】
４３は蓋体４１の蓋部４１Ｂ上面に設けられた逃し弁としてのシート弁で、該シート弁４３は、例えば樹脂材料、ゴム材料、紙材料等からなるシートを凹陥部４１Ｆよりも大きな円形状に切出し、その下面に剥離可能な程度の粘着力を有する粘着剤４３Ａを全面に亘って塗布することにより粘着シートとして形成されている。そして、シート弁４３は、図１６に示す如く、各気体流通穴４２を覆うように外周側が凹陥部４１Ｆの周囲の蓋部４１Ｂ上面に貼付けられている。
【００６８】
これにより、シート弁４３は、常時は気体流通穴４２の外側開口を覆って閉弁することにより、気体流通穴４２を介して水分が容器本体１内に浸入したり、収容した入浴剤２が外部に流出したりするのを防止している。
【００６９】
一方、容器本体１内の入浴剤２が炭酸ガスを発生して内圧が上昇したときには、シート弁４３は、図１６中に二点鎖線で示すように、容器本体１の内圧を受承して上側に膨らむことにより、容器本体１内の圧力が高くなっていることを使用者に知らせることができる。
【００７０】
そして、さらに内圧が上昇すると、シート弁４３は、図１７に示すように、粘着剤４３Ａの一部が蓋部４１Ｂ上面から剥離して開弁し、容器本体１内の炭酸ガス等の気体を気体流通穴４２から外部に流出させることができる。
【００７１】
かくして、このように構成された第５の参考例によれば、常時はシート弁４３によって水の浸入や入浴剤２の流出を防止できるから、容器としての信頼性を向上することができる。また、シート弁４３は、膨らむことにより、容器本体１内の圧力が上昇したことを知らせることができ、しかも、内圧がさらに上昇したときには開弁して内圧を下げることができる。一方、シート弁４３は、粘着剤４３Ａが塗布されたシートを蓋体４１に貼付けるだけであるから、安価に形成することができる。
【００７２】
次に、図１８および図１９は第６の参考例を示している。なお、第６の参考例では、前述した第１の参考例と同一の構成要素には同一の符号を付し、その説明を省略するものとする。
【００７３】
５１は第６の参考例による蓋体で、該蓋体５１は、例えば樹脂材料からなり、筒部５１Ａと蓋部５１Ｂとによって大略構成されている。また、筒部５１Ａの内周側には、図１９に示すように雌ねじ部５１Ｃと環状突起５１Ｄが設けられている。一方、蓋部５１Ｂの下面には、１個の円形状凹部５１Ｅが上側に凹陥するように形成されている。
【００７４】
５２，５２，…は蓋体５１の蓋部５１Ｂに設けられた気体通路をなす１個または複数個、例えば４個の気体流通穴で、該各気体流通穴５２は、円形状凹部５１Ｅのほぼ中央に位置して容器本体１内と外部とを連通している。
【００７５】
５３は蓋体５１内に取付けられるシール用のパッキンで、該パッキン５３は、例えば弾性を有するゴム材料、樹脂材料を用いて円板状に形成されている。ここで、パッキン５３は、その外周側が環状突起５１Ｄに係合して蓋体５１内に取付けられ、その中央には後述のパッキン弁５４が設けられている。
【００７６】
５４はパッキン５３の中央に設けられた呼吸弁としてのパッキン弁で、該パッキン弁５４は、弾性をもったパッキン５３の特性を利用し、該パッキン５３の中央に十字状の切れ目を入れることによって形成されている。
【００７７】
そして、パッキン弁５４は、常時は切れ目同士が当接して閉弁し気体流通穴５２を遮断している。一方、容器本体１内の入浴剤２が炭酸ガスを発生して内圧が上昇したときには、パッキン弁５４は、図１９中に二点鎖線で示すように、容器本体１の内圧を受承して円形状凹部５１Ｅ側に変形することにより切れ目を離間（開弁）させ、気体流通穴５２からガスを外部に流出することができる。また、容器本体１内に酸素を吸着する薬剤を収容して圧力が下降したときには、気体流通穴５２から大気圧を受承して開弁することにより、容器本体１内に外気を流入させることができる。
【００７８】
かくして、このように構成された第６の参考例においても、前述した第４の参考例とほぼ同様の作用効果を得ることができる。
【００７９】
次に、図２０および図２１は第７の参考例を示している。第７の参考例の特徴は、容器本体内に酸素を吸着する成分を含んだ薬剤を収容すると共に、常時は気体通路を遮断し容器本体の内圧が下降したときには気体通路を連通して該容器本体内に外部から気体が流入するのを許す吸込弁を設けたことにある。なお、第７の参考例では、前述した第１の参考例と同一の構成要素には同一の符号を付し、その説明を省略するものとする。
【００８０】
６１は容器本体１内に収容された製品としての薬剤で、該薬剤６１は、粉体状、顆粒状、タブレット状等の様々な形態をなしているが、第７の参考例では、薬剤６１は、顆粒状をなし、空気中の酸素を吸着する成分を含んでいるものとして説明する。
【００８１】
６２は第７の参考例による蓋体で、該蓋体６２は、例えば樹脂材料からなり、筒部６２Ａと蓋部６２Ｂとによって大略構成されている。また、筒部６２Ａの内周側には、図２１に示すように雌ねじ部６２Ｃと環状突起６２Ｄが設けられている。さらに、筒部６２Ａの内周側上部には、パッキン６４の位置決め凹部６４Ａに係合する位置決め凸部６２Ｅが内向きに突設されている。
【００８２】
６３，６３，…は蓋体６２の蓋部６２Ｂのほぼ中央に設けられた気体通路をなす複数個の気体流通穴で、該各気体流通穴６３は、容器本体１内と外部とを連通するものである。
【００８３】
６４は蓋体６２内に取付けられるシール用のパッキンで、該パッキン６４は、例えば弾性を有するゴム材料、樹脂材料を用いて円板状に形成されている。ここで、パッキン６４は、その外周側が環状突起６２Ｄに係合して蓋体６２内に取付けられている。また、パッキン６４は、外周側の位置決め凹部６４Ａが位置決め凸部６２Ｅに係合し、これにより、後述するパッキン弁６５の弁穴６５Ａを気体流通穴６３に対して周方向に異なる位置に位置決めしている。
【００８４】
６５はパッキン６４の中央に設けられた吸込弁としてのパッキン弁で、該パッキン弁６５は、複数個の弁穴６５Ａ，６５Ａ，…を有し、該各弁穴６５Ａは各気体流通穴６３に対して周方向に異なる位置に位置決めされている。
【００８５】
ここで、パッキン弁６５は、図２１に示すように、常時は蓋体６２の蓋部６２Ｂに密着することにより、弁穴６５Ａと気体流通穴６３と隔絶して空気の流通を遮断することができる。一方、酸素を吸着する薬剤６１によって容器本体１内の圧力が下降したときには、パッキン弁６５は、図２１に二点鎖線で示すように、気体流通穴６３を介して作用する大気圧によって蓋部６２Ｂから離間するから、各弁穴６５Ａを気体流通穴６３と連通させることができ、外部の空気を容器本体１内に流入させ、容器本体１の内圧をほぼ大気圧まで上げることができる。
【００８６】
かくして、このように構成された第７の参考例によれば、常時はパッキン弁６５によって気体流通穴６３を遮断して塵埃や水分の浸入を防止することができる。一方、容器本体１内に酸素を吸着する薬剤６１を収容し、容器本体１内の圧力が下降したときには、パッキン弁６５を開弁して気体流通穴６３から外気を流入させて容器本体１の内圧を上昇させることができる。
【００８７】
次に、図２２ないし図２４は第８の参考例を示している。第８の参考例の特徴は、逃し弁は蓋体に取付けられる環状の枠板部と、該枠板部の内側に位置して容器本体の開口部を開閉する弁板部と、該弁板部を前記開口部に向けて付勢するばね部とからなる板状弁として形成したことにある。なお、第８の参考例では、前述した第１の参考例と同一の構成要素には同一の符号を付し、その説明を省略するものとする。
【００８８】
７１は内圧変動防止容器の本体部分をなす第８の参考例による容器本体で、該容器本体７１は、例えば樹脂材料によって形成されている。ここで、容器本体７１は、有底筒状の収容部７１Ａと、該収容部７１Ａの上側を縮径した肩部７１Ｂと、該肩部７１Ｂから上向きに突出した小径筒部７１Ｃと、該小径筒部７１Ｃの上側を縮径した縮径部７１Ｄと、該縮径部７１Ｄから上向きに突出した開口部７１Ｅとによって大略構成されている。また、小径筒部７１Ｃの外周側には雄ねじ部７１Ｆが形成されている。
【００８９】
７２は容器本体７１の小径筒部７１Ｃに着脱可能に取付けられる第８の参考例による蓋体で、該蓋体７２は、例えば樹脂材料からなり、筒部７２Ａと蓋部７２Ｂとによって大略構成されている。また、筒部７２Ａの内周側には、図２３に示すように雌ねじ部７２Ｃと環状突起７２Ｄが設けられている。一方、蓋部７２Ｂの下面には円形状凹部７２Ｅが上側に凹陥するように形成されている。
【００９０】
７３，７３，…は蓋体７２の蓋部７２Ｂに設けられた気体通路をなす１個または複数個、例えば４個の気体流通穴で、該各気体流通穴７３は、円形状凹部７２Ｅのほぼ中央に位置して容器本体７１内と外部とを連通している。
【００９１】
７４は蓋体７２内に取付けられる逃し弁をなす板状弁で、該板状弁７４は、例えば弾性を有するゴム材料、樹脂材料を用いて形成されている。ここで、板状弁７４は、円環状に形成された枠板部７４Ａと、該枠板部７４Ａの内側に位置して容器本体７１の開口部７１Ｅを開閉する弁板部７４Ｂと、前記枠板部７４Ａと弁板部７４Ｂとの間を接続したクランク状の複数本のばね部７４Ｃ，７４Ｃ，…とによって構成されている。また、枠板部７４Ａの下面には、蓋体７２を容器本体７１の小径筒部７１Ｃに取付けたときに、小径筒部７１Ｃの上端に当接する断面三角状のコンタクトリング７４Ｄが下向きに突設されている。
【００９２】
そして、板状弁７４は、図２３に示すように、常時は各ばね部７４Ｃによって弁板部７４Ｂを容器本体７１の開口部７１Ｅに押付けて閉弁し、容器本体７１と気体流通穴７３（外部）との間を遮断している。一方、容器本体７１内の入浴剤２が炭酸ガスを発生して内圧が上昇したときには、板状弁７４は、図２４に示すように、容器本体７１の内圧を受承した弁板部７４Ｂが上側に変位して開弁することにより、容器本体７１と気体流通穴７３とを連通し、容器本体７１内の気体を外部に流出させることができる。
【００９３】
かくして、このように構成された第３の参考例においても、前述した第５の参考例とほぼ同様の作用効果を得ることができる。
【００９４】
次に、図２５ないし図２７は第９の参考例を示している。第９の参考例の特徴は、蓋体は、容器本体の開口部に取付けられる固定筒部と、該固定筒部にヒンジ部を介して回動可能に取付けられ該固定筒部の開口部を開閉する可動蓋部とによって構成し、逃し弁は容器本体の内圧が上昇したときにこの圧力を受けて開弁する前記可動蓋部としたことにある。なお、第９の参考例では、前述した第１の参考例と同一の構成要素には同一の符号を付し、その説明を省略するものとする。
【００９５】
８１は第９の参考例による蓋体で、該蓋体８１は、例えば樹脂材料からなり、容器本体１の開口部１Ｃに取付けられる固定筒部８２と、該固定筒部８２に回動可能に取付けられ該固定筒部８２の開口筒部８２Ｃを開閉する可動蓋部８３とから一体的に形成されている。
【００９６】
８２は容器本体１の開口部１Ｃに着脱可能に取付けられた固定筒部で、該固定筒部８２は、図２６に示す如く、筒状部８２Ａと、該筒状部８２Ａの上側から内向きに突出した内鍔部８２Ｂと、該内鍔部８２Ｂから上側に延びた開口筒部８２Ｃとによって大略構成されている。また、筒状部８２Ａの内周側には雌ねじ部８２Ｄが形成され、内鍔部８２Ｂの下面にはインナリング８２Ｅとコンタクトリング８２Ｆがそれぞれ下向きに突設されている。
【００９７】
また、開口筒部８２Ｃには、直径方向の一方側の下部に位置して後述する可動蓋部８３の係止部８３Ｃが摩擦力をもって当接する当接突部８２Ｇと、上部に位置して可動蓋部８３が開弁したときに、係止部８３Ｃに係合して半開き状態とする係止突部８２Ｈとが設けられている。
【００９８】
８３は固定筒部８２の上側に開閉可能に設けられた逃し弁をなす可動蓋部で、該可動蓋部８３は、固定筒部８２の筒状部８２Ａと同等の径寸法をもった筒状部８３Ａと、該筒状部８３Ａの上側を閉塞する蓋板８３Ｂとによって大略構成されている。また、筒状部８３Ａには、直径方向の一方側の下部に位置して固定筒部８２の当接突部８２Ｇと当接し、または係止突部８２Ｈに係合する係止部８３Ｃが内向きに突設されている。さらに、蓋板８３Ｂの下面にはインナリング８３Ｄが下向きに突設されている。
【００９９】
８４，８４は固定筒部８２と可動蓋部８３の直径方向の他方側に設けられた２個のヒンジ部で、該各ヒンジ部８４は、固定筒部８２に対して可動蓋部８３を開閉可能（回動可能）に支持している。
【０１００】
また、８５は各ヒンジ部８４の間に位置して固定筒部８２と可動蓋部８３との間に設けられた逆Ｌ字状のばね部材で、該ばね部材８５は、可動蓋部８３を開いたときのある回動角度を境にして閉じ側と開き側に付勢するものである。
【０１０１】
このように構成された蓋体８１は、図２６に示すように、可動蓋部８３の係止部８３Ｃが固定筒部８２の当接突部８２Ｇに当接した状態（閉弁状態）では、係止部８３Ｃと当接突部８２Ｇとの摩擦力、インナリング８３Ｄと開口筒部８２Ｃとの摩擦力およびばね部材８５のばね力によって閉弁状態を保持し、容器本体１と外部との間を遮断している。
【０１０２】
また、容器本体１内の入浴剤２を使用する場合には、可動蓋部８３の一方側を指先で押上げて大きく回動させることにより、固定筒部８２の開口筒部８２Ｃを開放し、容器本体１内の入浴剤２を取出すことができる。
【０１０３】
一方、可動蓋部８３を閉じた状態で容器本体１内の入浴剤２が炭酸ガスを発生して内圧が上昇すると、図２７に示すように、上述した摩擦力、ばね力に抗して可動蓋体８３が開弁する。これにより、固定筒部８２の開口筒部８２Ｃと可動蓋部８３の筒状部８３Ａとの間には、気体通路を構成する隙間（図示せず）が形成されるから、この隙間から容器本体１内のガスを外部に流出させることができる。このときに、可動蓋部８３は、その係止部８３Ｃを固定筒部８２の係止突部８２Ｈに係合させることにより、僅かに開口するだけであり、水等が簡単に流入するのを防止している。
【０１０４】
かくして、このように構成された第９の参考例においても、前述した第５の参考例とほぼ同様の作用効果を得ることができる。しかし、第９の参考例によれば、ワンタッチで開閉可能な可動蓋部８３を備えた蓋体８１においても、可動蓋部８３を逃がし弁として利用し、内圧の上昇を防ぐことができる。
【０１０５】
次に、図２８および図２９は第１０の参考例を示している。第１０の参考例の特徴は、蓋体の固定筒部と可動蓋部との間に容器本体と外部とを常時連通する気体通路を設けたことにある。なお、第１０の参考例では、前述した第１の参考例と同一の構成要素には同一の符号を付し、その説明を省略するものとする。
【０１０６】
９１は第１０の参考例による蓋体で、該蓋体９１は、例えば樹脂材料からなり、後述の固定筒部９２、可動蓋部９３等によって大略構成されている。
【０１０７】
９２は容器本体１の開口部１Ｃに着脱可能に取付けられた固定筒部で、該固定筒部９２は、筒状部９２Ａ、内鍔部９２Ｂ、開口筒部９２Ｃによって大略構成されている。また、筒状部９２Ａの内周側には雌ねじ部９２Ｄが形成され、内鍔部９２Ｂの下面にはインナリング９２Ｅとコンタクトリング９２Ｆがそれぞれ下向きに突設されている。また、開口筒部９２Ｃには、直径方向の一方側の下部に当接突部９２Ｇが設けられ、上部に係止突部９２Ｈが設けられている。
【０１０８】
９３は固定筒部９２の当接突部９２Ｇに形成された切欠溝で、該切欠溝９３は、図２９に示す如く、後述する切欠溝９５，９６と協働して気体通路９７を構成するもので、内鍔部９２Ｂの上面から上向きに延びるように切欠かれている。
【０１０９】
９４は固定筒部９２の上側に開閉可能に設けられた可動蓋部で、該可動蓋部９４は、筒状部９４Ａと蓋板９４Ｂとによって大略構成されている。また、筒状部９４Ａには、直径方向の一方側の下部に位置して固定筒部９２の当接突部９２Ｇと当接し、または係止突部９２Ｈに係合する係止部９４Ｃが内向きに突設されている。さらに、蓋板９４Ｂの下面にはインナリング９４Ｄが下向きに突設されている。
【０１１０】
９５は可動蓋部９４のインナリング９４Ｄ外周に上，下方向に延びて形成された切欠溝、９６は筒状部９４Ａの下端部に径方向に延びて形成された他の切欠溝をそれぞれ示し、該各切欠溝９５，９６は、固定筒部９２の切欠溝９３と共に、容器本体１内と外部とを常時連通する気体通路９７を構成している。
【０１１１】
９８は固定筒部９２と可動蓋部９４の直径方向の他方側に設けられた２個のヒンジ部、９９は固定筒部９２と可動蓋部９４との間に設けられたばね部材を示している。
【０１１２】
かくして、このように構成された第１０の参考例においても、前述した第１の参考例とほぼ同様の作用効果を得ることができる。
【０１１３】
次に、図３０および図３１は第１１の参考例を示している。第１１の参考例の特徴は、蓋体の外部に逃し弁を設けたことにある。なお、第１１の参考例では、前述した第１の参考例と同一の構成要素には同一の符号を付し、その説明を省略するものとする。
【０１１４】
１０１は第１１の参考例による蓋体で、該蓋体１０１は、図３１に示す如く、筒部１０１Ａ、蓋部１０１Ｂ、雌ねじ部１０１Ｃ、インナリング１０１Ｄ、コンタクトリング１０１Ｅによって大略構成され、前記蓋部１０１Ｂの上面外周側には円環状の取付溝部１０１Ｆが形成されている。
【０１１５】
１０２，１０２，…は蓋体１０１の中央に設けられた気体通路をなす１個または複数個、例えば４個の気体流通穴で、該各気体流通穴１０２は、容器本体１内と外部とを連通するものである。
【０１１６】
１０３は蓋体１０１の蓋部１０１Ｂ上面に設けられた逃し弁で、該逃し弁１０３は、例えば弾性を有するゴム材料、樹脂材料からなる円板の中央に十字状に切れ目を入れることによって形成されている。また、逃し弁１０３は、外周側の環状突部１０３Ａを蓋体１０１の取付溝部１０１Ｆに嵌合することにより、各気体流通穴１０２を覆うように取付けられている。
【０１１７】
そして、逃し弁１０３は、常時は気体流通穴１０２を覆って閉弁している。一方、容器本体１内の圧力が炭酸ガス等によって上昇したときには、図３１中に二点鎖線で示すように切れ目を開いて開弁し、容器本体１内の炭酸ガスを気体流通穴１０２から外部に流出させることができる。
【０１１８】
かくして、このように構成された第１１の参考例においても、前述した第５の参考例とほぼ同様の作用効果を得ることができる。
【０１１９】
次に、図３２および図３３は本発明の実施の形態を示している。本実施の形態の特徴は、吸込弁は気体通路の内側開口を覆うように蓋体に剥離可能に貼付けられた粘着シートによって形成したことにある。なお、本実施の形態では、前述した第１の参考例と同一の構成要素には同一の符号を付し、その説明を省略するものとする。
【０１２０】
１１１は容器本体１内に収容された製品としての薬剤で、該薬剤１１１は、例えば顆粒状をなし、空気中の酸素を吸着する成分を含んでいるものとして説明する。
【０１２１】
１１２は容器本体１の開口部１Ｃに着脱可能に取付けられた本実施の形態による蓋体で、該蓋体１１２は、第１の参考例による蓋体３とほぼ同様に、筒部１１２Ａ、蓋部１１２Ｂ、雌ねじ部１１２Ｃ、インナリング１１２Ｄ、コンタクトリング１１２Ｅによって形成されている。しかし、本実施の形態による蓋体１１２は、蓋部１１２Ｂの中央に後述の気体流通穴１１３が形成されている点で、第１の参考例による蓋体３と相違している。
【０１２２】
１１３，１１３，…は蓋体１１２の蓋部１１２Ｂ中央に設けられた気体通路をなす１個または複数個、例えば４個の気体流通穴で、該各気体流通穴１１３は、容器本体１内と外部とを連通するものである。
【０１２３】
１１４は蓋体１１２の蓋部１１２Ｂ下面に設けられた吸込弁としてのシート弁で、該シート弁１１４は、例えば樹脂材料、ゴム材料、紙材料等からなるシートを円形状に切出し、その上面の外周側に剥離可能な程度の粘着力を有する粘着剤１１４Ａを塗布することにより粘着シートとして形成されている。そして、シート弁１１４は、図３３に示す如く、各気体流通穴１１３を覆うように外周側が当該各気体流通穴１１３の周囲の蓋部１１２Ｂ下面に貼付けられている。
【０１２４】
これにより、シート弁１１４は、常時は気体流通穴１１３の内側開口を覆って閉弁することにより、気体流通穴１１３を介して塵埃、水分が容器本体１内に浸入したり、収容した薬剤１１１が外部に流出したりするのを防止している。
【０１２５】
一方、容器本体１内の薬剤１１１が酸素を吸着して、該容器本体１内の圧力が下降したときには、図３３に二点鎖線で示すように、気体流通穴１１３を介して作用する大気圧により、粘着剤１１４Ａの一部が蓋部１１２Ｂ下面から剥離して開弁し、気体流通穴１１３から外気を流入させて容器本体１の内圧を上昇させることができる。
【０１２６】
かくして、このように構成された本実施の形態によれば、常時はシート弁１１４によって水の浸入や薬剤１１１の流出を防止できるから、容器としての信頼性を向上することができる。また、シート弁１１４は、容器本体１内の圧力が下降したときには開弁して内圧を上げることができる。一方、シート弁１１４は、粘着剤１１４Ａが塗布されたシートを蓋体１１２に貼付けるだけであるから、安価に形成することができる。
【０１２７】
次に、図３４は第１２の参考例を示している。第１２の参考例の特徴は、蓋体は、容器本体の開口部に取付けられる内蓋と、該内蓋を覆うように設けられた外蓋とによって構成し、気体通路は前記内蓋と外蓋との間の隙間を利用して設けたことにある。
【０１２８】
１２１は第１２の参考例による容器本体で、該容器本体１２１は、収容部１２１Ａ、肩部１２１Ｂ、開口部１２１Ｃ、雄ねじ部１２１Ｄによって大略構成されている。また、収容部１２１Ａと肩部１２１Ｂとの間には、段差部１２１Ｅが形成され、この段差部１２１Ｅには、後述の内向き環状突起１２５Ｃが係合する外向き環状突起１２１Ｆが形成されている。
【０１２９】
１２２は容器本体１２１の開口部１２１Ｃに取付けられた第１２の参考例による蓋体で、該蓋体１２２は、後述する内蓋１２３と外蓋１２５とによって構成されている。
【０１３０】
１２３は容器本体１２１の開口部１２１Ｃに着脱可能に取付けられた内蓋で、該内蓋１２３は、筒部１２３Ａ、蓋部１２３Ｂ、雌ねじ部１２３Ｃ、インナリング１２３Ｄ、コンタクトリング１２３Ｅによって形成され、蓋部１２３Ｂの中央には、後述する気体通路１２６の一部を構成する１個または複数個の気体流通穴１２４が形成されている。
【０１３１】
１２５は内蓋１２３を覆うように設けられた外蓋で、該外蓋１２５は、容器本体１２１の収容部１２１Ａとほぼ同じ径寸法の筒部１２５Ａと、該筒部１２５Ａの上側を閉塞した蓋部１２５Ｂとによって有蓋筒状に形成されている。また、筒部１２５Ａの下端内周側には外向き環状突起１２１Ｆに係合する内向き環状突起１２５Ｃが形成され、蓋部１２５Ｂの下面にはコンタクトリング１２５Ｄが下向きに突設されている。さらに、内向き環状突起１２５Ｃには１個または複数個の切欠部１２５Ｅが形成され、コンタクトリング１２５Ｄには１個または複数個の切欠部１２５Ｆが形成されている。
【０１３２】
１２６は容器本体１２１内と外部とを連通する気体通路で、該気体通路１２６は、内蓋１２３の気体流通穴１２４、外蓋の各切欠部１２５Ｅ，１２５Ｆおよび内蓋１２３と外蓋１２５との間の隙間１２７を利用して形成されている。この気体通路１２６は、容器本体１２１の内圧が上昇または下降したときに該容器本体１２１内の気体を出し入れし、容器本体１２１の内圧の変動を抑えるものである。
【０１３３】
かくして、このように構成された第１２の参考例によれば、単純な形状の内蓋１２３と外蓋１２５とを組合わせ、このときに内蓋１２３、外蓋１２５間に形成される隙間１２７を利用して気体通路１２６を形成することができる。また、蓋体１２２の内蓋１２３と外蓋１２５とを別々に着脱する構成としているから、外蓋１２５だけを取外した状態では、内蓋１２３に設けられた気体流通穴１２４を容器本体１２１内に収容された入浴剤等を取出す取出し口として利用することができる。
【０１３４】
次に、図３５は第１３の参考例を示している。第１３の参考例の特徴は、別部材からなる内蓋と外蓋とを一体的に組付けて一つの蓋体を形成したことにある。
【０１３５】
１３１は第１３の参考例による容器本体で、該容器本体１３１は、収容部１３１Ａ、肩部１３１Ｂ、開口部１３１Ｃ、雄ねじ部１３１Ｄによって大略構成されている。また、収容部１３１Ａと肩部１３１Ｂとの間には、段差部１３１Ｅが形成されている。
【０１３６】
１３２は容器本体１３１の開口部１３１Ｃに取付けられた第１３の参考例による蓋体で、該蓋体１３２は、後述する内蓋１３３と外蓋１３５とによって構成されている。
【０１３７】
１３３は容器本体１３１の開口部１３１Ｃに着脱可能に取付けられた内蓋で、該内蓋１３３は、筒部１３３Ａ、蓋部１３３Ｂ、雌ねじ部１３３Ｃ、インナリング１３３Ｄ、コンタクトリング１３３Ｅによって形成されている。また、筒部１３３Ａの外周側には上，下方向に延びる雄スプライン１３３Ｆが全周に亘って形成され、該雄スプライン１３３Ｆの下側には後述の内向き突起１３５Ｅに係合する外向き突起１３３Ｇが周方向に間欠的に複数個設けられている。さらに、蓋部１３３Ｂの中央には、後述する気体通路１３６の一部を構成する１個または複数個の気体流通穴１３４が形成されている。
【０１３８】
１３５は内蓋１３３を覆うように設けられた外蓋で、該外蓋１３５は、容器本体１３１の収容部１３１Ａとほぼ同じ径寸法の外筒部１３５Ａと、該外筒部１３５Ａの上側を閉塞した蓋部１３５Ｂとによって有蓋筒状に形成され、蓋部１３５Ｂの下面には外筒部１３５Ａよりも小径な内筒部１３５Ｃが延設されている。また、内筒部１３５Ｃには雌スプライン１３５Ｄが形成され、該雌スプライン１３５Ｄの下側には内向き突起１３５Ｅが周方向に間欠的に複数個設けられている。そして、外蓋１３５は、その雌スプライン１３５Ｄを内蓋１３３の雄スプライン１３３Ｆに係合させ、内向き突起１３５Ｅを内蓋１３３の外向き突起１３３Ｇに係合させることにより、該内蓋１３３と一体構造をなしている。
【０１３９】
１３６は容器本体１３１内と外部とを連通する気体通路で、該気体通路１３６は、内蓋１３３の気体流通穴１３４と、各スプライン１３３Ｆ，１３５Ｄの隙間、各突起１３３Ｇ，１３５Ｅから周方向にずれた位置の隙間からなる内蓋１３３と外蓋１３５との間の隙間１３７を利用して形成されている。この気体通路１３６は、容器本体１３１の内圧が上昇または下降したときに該容器本体１３１内の気体を出し入れし、容器本体１３１の内圧の変動を抑えるものである。
【０１４０】
かくして、このように構成された第１３の参考例によれば、外蓋１３５を掴んで回転することにより、該外蓋１３５と一緒に内蓋１３３を容器本体１３１に対して着脱することができるから、取扱いを容易にすることができる。
【０１４１】
次に、図３６ないし図３８は第１４の参考例を示している。第１４の参考例の特徴は、容器本体の開口部には、収容した製品が使用前に流出するのを防止するため、該開口部を密封する取外し可能な密封部材を設ける構成としたことにある。
【０１４２】
１４１は第１４の参考例による容器本体で、該容器本体１４１は、収容部１４１Ａ、肩部１４１Ｂ、開口部１４１Ｃとによって大略構成されている。また、開口部１４１Ｃの下側寄りには外向き環状突起１４１Ｄが形成されている。
【０１４３】
１４２は容器本体１４１の開口部１４１Ｃに着脱可能に取付けられる蓋体で、該蓋体１４２は、筒部１４２Ａ、蓋部１４２Ｂによって有蓋筒状に形成されている。また、筒部１４２Ａの下側寄りには、図３７に示すように、該筒部１４２Ａと一緒に弾性変形することにより容器本体１４１の外向き環状突起１４１Ｄに容易に係合、離脱する内向き環状突起１４２Ｃが突設され、該環状突起１４２Ｃには１個または複数個の切欠部１４２Ｄが形成されている。さらに、蓋部１４２Ｂの下面側にはコンタクトリング１４２Ｅが下向きに突設されている。
【０１４４】
１４３は容器本体１４１の開口部１４１Ｃを密封するように該開口部１４１Ｃの上端部に貼付けられた密封部材としての密封フィルムで、該密封フィルム１４３は、容器本体１４１に収容した入浴剤が使用前、例えば輸送中に流出するのを防止するものである。そして、密封フィルム１４３は、例えばプラスチックラミネートフィルム、アルミニウムとプラスチックの積層ラミネートフィルム等のフィルム材を円形に切出すことにより形成され、熱シール等の固着手段を用いて開口部１４１Ｃに剥離可能に貼付けられている。
【０１４５】
１４４は容器本体１４１の開口部１４１Ｃから密封フィルム１４３を剥し取ったときに該開口部１４１Ｃと蓋体１４２との間に形成される気体通路で（図３８参照）、該気体通路１４４は、容器本体１４１の開口部１４１Ｃと蓋体１４２のコンタクトリング１４２Ｅとの隙間、蓋体１４２の切欠部１４２Ｄ等によって構成されている。
【０１４６】
かくして、このように構成された第１４の参考例によれば、密封フィルム１４３は、使用前に容器本体１４１内に収容した入浴剤等の製品が気体通路１４４から外部に流出するのを防止することができるから、輸送中等における取扱いを容易にすることができる。
【０１４７】
なお、第５の参考例では、シート弁４３の下面には全面に亘って粘着剤４３Ａを塗布した場合を例に挙げて説明した。しかし、例えば図３９に示す第１の変形例のように、本発明の実施の形態によるシート弁１１４と同様に、シート弁１５１の下面に、内縁が円形状となる円環状をなすように粘着剤１５１Ａを塗布する構成としてもよい。この場合には、蓋体４１´は、蓋部４１Ｂ´から凹陥部４１Ｆを省略することができる。
【０１４８】
また、図４０に示す第２の変形例のように、シート弁１６１の下面に、内縁が四角形状をなすように粘着剤１６１Ａを塗布する構成としてもよい。この場合には、内圧が上昇したときに粘着剤１６１Ａの四角形状の角隅部に相当する位置を積極的に剥離させることができ、低圧でのガス抜きを行なうことができる。この構成は本発明の実施の形態にも適用することができるものである。
【０１４９】
【発明の効果】
以上詳述した通り、請求項１の発明によれば、内圧変動防止容器は、内部に酸素を吸着して内圧を下降させる製品を収容する容器本体と、該容器本体の開口部に取付けられる蓋体と、前記容器本体の開口部、蓋体のうち少なくともいずれか一方に設けられ前記容器本体内と外部との間で気体が流通する気体通路と、常時は該気体通路を遮断し前記容器本体の内圧が下降したときには外部から該容器本体内に気体が流入するのを許す吸込弁とによって構成し、吸込弁は気体通路の内側開口を覆うように蓋体に剥離可能に貼付けられた粘着シートからなるシート弁として形成し、該シート弁には、前記蓋体に貼付けられる面に内縁が四角形状をなすように粘着剤を塗布する構成としている。従って、常時は粘着シートからなる吸込弁が気体通路の内側開口を覆っているから、塵埃、水分が気体通路を通って容器本体内に浸入するのを防止することができる。また、容器本体内に収容している製品が空気中の酸素を吸着し、容器本体内の圧力が下降するときには、粘着シートからなる吸込弁は、気体通路を介して作用する大気圧によって一部が蓋体から剥離することにより、気体通路を開放して外部から容器本体内に気体を吸込むように流入させ、容器本体内の圧力を大気圧まで上昇させることができる。従って、酸素吸着によって容器内の圧力が下降するのを防止することができる。
【０１５０】
この結果、内圧の変動による容器本体の変形、損傷を防止することができるから、酸素を吸着して内圧を下降させる製品を容器本体内に複数回分収容することができ、また、容器本体、蓋体を安価な樹脂材料から形成することができ、製造コストを低減することができる。
【図面の簡単な説明】
【図１】  本発明の前提となる第１の参考例に適用される内圧変動防止容器を示す外観斜視図である。
【図２】  図１中の容器本体と蓋体とを分解した状態で拡大して示す分解斜視図である。
【図３】  図２の蓋体の内側形状を下側から拡大して示す一部破断の斜視図である。
【図４】  容器本体に蓋体を取付けた状態を示す要部拡大縦断面図である。
【図５】  容器本体の開口部と蓋体の一部を拡大して示す要部拡大縦断面図である。
【図６】  第２の参考例による容器本体と蓋体とを分解した状態で拡大して示す分解斜視図である。
【図７】  容器本体に蓋体を取付けた状態を示す要部拡大縦断面図である。
【図８】  第３の参考例による容器本体、蓋体、パッキンを分解した状態で拡大して示す分解斜視図である。
【図９】  図８の蓋体の内側形状を下側から拡大して示す一部破断の斜視図である。
【図１０】  容器本体にパッキンが嵌め込まれた蓋体を取付けた状態を示す要部拡大縦断面図である。
【図１１】  容器本体の開口部、蓋体、パッキンの一部を拡大して示す要部拡大縦断面図である。
【図１２】  第４の参考例による容器本体、蓋体、パッキンを分解した状態で拡大して示す分解斜視図である。
【図１３】  容器本体にパッキンが嵌め込まれた蓋体を取付け、内圧の上昇によってパッキン弁が開弁した状態を示す要部拡大縦断面図である。
【図１４】  容器本体の開口部、蓋体、パッキンの一部を拡大して示す要部拡大縦断面図である。
【図１５】  第５の参考例による容器本体、蓋体、シート弁を分解した状態で拡大して示す分解斜視図である。
【図１６】  容器本体にシート弁が貼付けられた蓋体を取付けた状態を示す要部拡大縦断面図である。
【図１７】  蓋体に貼付けられたシート弁が内圧によって開弁した状態を示す要部拡大縦断面図である。
【図１８】  第６の参考例による容器本体、蓋体、パッキンを分解した状態で拡大して示す分解斜視図である。
【図１９】  容器本体にパッキンが嵌め込まれた蓋体を取付けた状態を示す要部拡大縦断面図である。
【図２０】  第７の参考例による容器本体、蓋体、パッキンを分解した状態で拡大して示す分解斜視図である。
【図２１】  容器本体にパッキンが嵌め込まれた蓋体を取付けた状態を示す要部拡大縦断面図である。
【図２２】  第８の参考例による容器本体、蓋体、板状弁を分解した状態で拡大して示す分解斜視図である。
【図２３】  容器本体に板状弁が嵌め込まれた蓋体を取付けた状態を示す要部拡大縦断面図である。
【図２４】  板状弁の弁板部が内圧によって開弁した状態を示す要部拡大縦断面図である。
【図２５】  第９の参考例による容器本体、蓋体を分解した状態で拡大して示す分解斜視図である。
【図２６】  容器本体に蓋体を取付けた状態を示す要部拡大縦断面図である。
【図２７】  蓋体の可動蓋部が内圧によって開弁した状態を示す要部拡大縦断面図である。
【図２８】  第１０の参考例による蓋体を容器本体に取付けた状態で拡大して示す要部拡大縦断面図である。
【図２９】  固定筒部と可動蓋部の一部を拡大して示す要部拡大縦断面図である。
【図３０】  第１１の参考例による容器本体、蓋体、逃し弁を分解した状態で拡大して示す分解斜視図である。
【図３１】  容器本体に逃し弁が嵌め込まれた蓋体を取付けた状態を示す要部拡大縦断面図である。
【図３２】  本発明の実施の形態による容器本体、蓋体、シート弁を分解した状態で拡大して示す分解斜視図である。
【図３３】  容器本体にシート弁が貼付けられた蓋体を取付けた状態を示す要部拡大縦断面図である。
【図３４】  第１２の参考例による容器本体と蓋体を拡大して示す要部拡大縦断面図である。
【図３５】  第１３の参考例による容器本体と蓋体を拡大して示す要部拡大縦断面図である。
【図３６】  第１４の参考例による密封フィルムが貼付けられた容器本体と蓋体とを分解した状態で拡大して示す分解斜視図である。
【図３７】  密封フィルムが貼付けられた容器本体に蓋体を取付けた状態を示す要部拡大縦断面図である。
【図３８】  密封フィルムを剥して気体通路を形成した状態の容器本体と蓋体を示す要部拡大縦断面図である。
【図３９】  第５の参考例の第１の変形例による蓋体、シート弁を分解した状態で拡大して示す分解斜視図である。
【図４０】  第２の変形例によるシート弁を単体で拡大して示す外観斜視図である。
【図１】
0004593838.tif 000002
【図２】
0004593838.tif 000003
【図３】
0004593838.tif 000004
【図４】
0004593838.tif 000005
【図５】
0004593838.tif 000006
【図６】
0004593838.tif 000007
【図７】
0004593838.tif 000008
【図８】
0004593838.tif 000009
【図９】
0004593838.tif 000010
【図１０】
0004593838.tif 000011
【図１１】
0004593838.tif 000012
【図１２】
0004593838.tif 000013
【図１３】
0004593838.tif 000014
【図１４】
0004593838.tif 000015
【図１５】
0004593838.tif 000016
【図１６】
0004593838.tif 000017
【図１７】
0004593838.tif 000018
【図１８】
0004593838.tif 000019
【図１９】
0004593838.tif 000020
【図２０】
0004593838.tif 000021
【図２１】
0004593838.tif 000022
【図２２】
0004593838.tif 000023
【図２３】
0004593838.tif 000024
【図２４】
0004593838.tif 000025
【図２５】
0004593838.tif 000026
【図２６】
0004593838.tif 000027
【図２７】
0004593838.tif 000028
【図２８】
0004593838.tif 000029
【図２９】
0004593838.tif 000030
【図３０】
0004593838.tif 000031
【図３１】
0004593838.tif 000032
【図３２】
0004593838.tif 000033
【図３３】
0004593838.tif 000034
【図３４】
0004593838.tif 000035
【図３５】
0004593838.tif 000036
【図３６】
0004593838.tif 000037
【図３７】
0004593838.tif 000038
【図３８】
0004593838.tif 000039
【図３９】
0004593838.tif 000040
【図４０】
0004593838.tif 000041